(57)【要約】【課題】フリック又はなぞる操作などのできる十分な面積を有しない場合であっても、簡単に画像のスクロール表示に係る方向及び速度を決定することができるタッチパネル装置及び画像表示方法を提供する。【解決手段】被接触面を備え、該被接触面との接触により位置の指定を受け付けるタッチパネル装置において、接触の際前記被接触面に与えられる圧力値を検出する検出手段を備え、複数の位置の指定に係る位置に基づいて方向を決定し、前記検出手段の検出結果に基づいて速度を決定し、決定された方向及び速度に基づいて、画像をスクロール表示する。【選択図】図３
2019008840.tif 000002
【特許請求の範囲】
【請求項１】
被接触面を備え、該被接触面との接触により位置の指定を受け付けるタッチパネル装置において、
接触の際前記被接触面に与えられる圧力値を検出する検出手段と、
複数の位置の指定に係る位置に基づいて方向を決定する方向決定手段と、
前記検出手段の検出結果に基づいて速度を決定する速度決定手段と、
決定された方向及び速度に基づいて、画像を移動表示する表示部と
を備え、
所定以下の間隔にて複数の接触があった場合、
前記方向決定手段は、１回目および２回目の接触に基づいて方向を決定し、
前記速度決定手段は、２回目以降の接触の都度、接触の際前記被接触面に与えられる圧力の変化に応じて速度を変更させるように構成され、前記１回目および２回目の接触に基づいて決定した前記方向への移動速度を移動中に段階的に変更させることを特徴とするタッチパネル装置。
【請求項２】
前記速度決定手段は、１回目の接触に係る検出圧力値に応じて加重値を定め、２回目以降の検出圧力値に対応する速度に前記加重値を加えることにより、前記速度を決定することを特徴とする請求項１に記載のタッチパネル装置。
【請求項３】
複数の圧力値の範囲を定める閾値を記憶している記憶部を備え、
前記速度決定手段は前記閾値に基づいて速度を決定するように構成されていることを特徴とする請求項１または２に記載のタッチパネル装置。
【請求項４】
被接触面と、該被接触面への接触の際該被接触面に与えられる圧力値を検出する検出部とを備え、該被接触面との接触により位置の指定を受け付けるタッチパネル装置にて、画像を表示する画像表示方法において、複数の位置の指定に係る位置に基づいて方向を決定する方向決定ステップと、
前記検出部による検出結果に基づいて速度を決定する速度決定ステップと、
決定された方向及び速度に基づいて、画像を移動表示するステップと
を含み、
所定以下の間隔にて複数の接触があった場合、
前記速度決定ステップにおいて、１回目および２回目の接触に基づいて方向を決定し、
前記速度決定ステップにおいて、２回目以降の接触の都度、接触の際前記被接触面に与えられる圧力の変化に応じて速度を変更し、前記１回目および２回目の接触に基づいて決定した前記方向への移動速度を移動中に段階的に変更させることを特徴とする画像表示方法。
【発明の詳細な説明】
【技術分野】
【０００１】
本発明は、被接触面を備え、該被接触面との接触により位置の指定を受け付けるタッチパネル装置及び該タッチパネルを用いた画像表示方法に関する。
【背景技術】
【０００２】
近年、画面に指、スタイラス等で触れることによって入力操作を行う、タッチパネルを搭載したユーザインタフェース装置が広く普及している。
【０００３】
一方、特許文献１においては、情報を表示する画面を具備する表示装置と、該画面上の押圧位置を検知する入力装置と、表示装置の前記画面内に表示されている表示情報を、前記入力装置が検知した複数の各押圧位置の相対関係に基づいて決定される基準軸に沿って移動又は回転させるべく、前記入力装置が検知した押圧位置に基づいて、前記表示装置の画面内に表示されている表示情報の動きを制御する制御装置とを備える情報端末について開示されている。
【０００４】
また、特許文献２においては、画像を表示するディスプレイと、指の接触位置を時間経過に応じて逐次出力するタッチパネルと、当該指により該タッチパネルに与えられた押圧力を検出する押圧力検出部とを備え、画像全体をスクロールさせるドラッグ操作が終了した後、ドラッグ操作以降における押圧力の最大値に応じて、画像全体を更にスクロールさせるユーザインタフェース装置が開示されている。
【先行技術文献】
【特許文献】
【０００５】
【特許文献１】特開２０１３−２５５８０号公報
【特許文献２】特開２０１３−１９６４６４号公報
【発明の概要】
【発明が解決しようとする課題】
【０００６】
一方、例えば、表示画像をスクロール表示するような画像表示の操作においては、実質上、ユーザは斯かる画像移動の方向及び速度などを定める必要がある。これに関しては、例えば、タッチパネルをフリック又はなぞることにより、斯かる画像移動の方向及び速度を定める技術が開示されている。
【０００７】
しかしながら、このような技術は、タッチパネルがフリック又はなぞる操作などのできる十分な面積を有することを要求され、その適用が制限的である。また、上述したような特許文献１の情報端末及び特許文献２のユーザインタフェース装置では、このような問題を解決できない。
【０００８】
本発明は、斯かる事情に鑑みてなされたものであり、その目的とするところは、被接触面を備え、該被接触面との接触により位置の指定を受け付けるタッチパネル装置において、接触の際前記被接触面に与えられる圧力値を検出する検出手段を備え、複数の位置の指定に係る位置に基づいて方向を決定し、前記検出手段の検出結果に基づいて速度を決定し、決定された方向及び速度に基づいて、画像を移動表示することにより、フリック又はなぞる操作などのできる十分な面積を確保できないような場合であっても、簡単に画像の移動表示に係る方向及び速度を共に決定することができるタッチパネル装置及び画像表示方法を提供することにある。
【課題を解決するための手段】
【０００９】
本発明に係るタッチパネル装置は、被接触面を備え、該被接触面との接触により位置の指定を受け付けるタッチパネル装置において、接触の際前記被接触面に与えられる圧力値を検出する検出手段と、複数の位置の指定に係る位置に基づいて方向を決定する方向決定手段と、前記検出手段の検出結果に基づいて速度を決定する速度決定手段と、決定された方向及び速度に基づいて、画像を移動表示する表示部とを備えることを特徴とする。
【００１０】
本発明に係るタッチパネル装置は、接触のまま接触の位置が変更する場合、該変更の間、前記検出手段は複数回検出を行い、前記方向決定手段は何れか２回の検出に係る位置に基づいて方向を決定し、前記速度決定手段は前記検出手段の検出結果に基づいて逐次速度を変更するように構成されていることを特徴とする。
【００１１】
本発明に係るタッチパネル装置は、接触のまま接触の位置が変更する場合、該変更の間、前記検出手段は複数回検出を行い、前記方向決定手段は何れか２回の検出に係る位置に基づいて方向を決定し、最初回の前記検出手段による検出結果に基づいて、前記速度決定手段は、前記移動の間に係る画像の移動速度を決定するように構成されていることを特徴とする。
【００１２】
本発明に係るタッチパネル装置は、所定の間隔にて複数の接触があった場合、前記方向決定手段は該複数の接触のうち、何れか２つの接触に基づいて方向を決定し、前記速度決定手段は１回目の接触に対する前記検出手段の検出結果に基づいて前記速度を決定するように構成されていることを特徴とする。
【００１３】
本発明に係るタッチパネル装置は、所定の間隔にて複数の接触があった場合、前記方向決定手段は該複数の接触のうち、何れか２つの接触に基づいて方向を決定し、前記速度決定手段は２回目以降の何れかの接触に対する前記検出手段の検出結果に基づいて前記速度を決定するように構成されていることを特徴とする。
【００１４】
本発明に係るタッチパネル装置は、複数の圧力値の範囲を定める閾値を記憶している記憶部を備え、前記速度決定手段は前記閾値に基づいて速度を決定するように構成されていることを特徴とする。
【００１５】
本発明に係る画像表示方法は、被接触面と、該被接触面への接触の際該被接触面に与えられる圧力値を検出する検出部とを備え、該被接触面との接触により位置の指定を受け付けるタッチパネル装置にて、画像を表示する画像表示方法において、複数の位置の指定に係る位置に基づいて方向を決定する方向決定ステップと、前記検出部による検出結果に基づいて速度を決定する速度決定ステップと、決定された方向及び速度に基づいて、画像を移動表示するステップとを含むことを特徴とする。
【発明の効果】
【００１６】
本発明によれば、フリック又はなぞる操作などのできる十分な面積を有しない場合であっても、一つの操作にて簡単に画像の移動表示に係る方向と共に速度を決定し、ユーザの希望する画像の移動表示を実行することができる。
【図面の簡単な説明】
【００１７】
【図１】本発明の実施の形態１の複合機の要部構成を示す機能ブロック図である。
【図２】本発明の実施の形態１の複合機における、制御部の要部構成を示す機能ブロック図である。
【図３】本発明の実施の形態１の複合機における、スクロール表示の方向及び速度を調整する処理を説明するフローチャートである。
【図４】本発明の実施の形態１の複合機において、検出された圧力及び画像のスクロール表示の関係を示すグラフである。
【図５】本発明の実施の形態２の複合機における、スクロール表示の方向及び速度を調整する処理を説明するフローチャートである。
【図６】本発明の実施の形態２の複合機において、検出された圧力及び画像のスクロール表示の関係を示すグラフである。
【図７】本発明の実施の形態３の複合機における、スクロール表示の方向及び速度を調整する処理を説明するフローチャートである。
【図８】本発明の実施の形態３の複合機において、検出された圧力及び画像のスクロール表示の関係を示すグラフである。
【図９】本発明の実施の形態４の複合機における、スクロール表示の方向及び速度を調整する処理を説明するフローチャートである。
【図１０】本発明の実施の形態４の複合機において、検出された圧力及び画像のスクロール表示の関係を示すグラフである。
【発明を実施するための形態】
【００１８】
以下に、本発明の実施の形態に係るタッチパネル装置及び画像表示方法を、いわゆるタッチパネルの機能を有する複合機に適用した場合を例として、図面に基づいて詳述する。
【００１９】
（実施の形態１）
図１は本発明の実施の形態１の複合機１００の要部構成を示す機能ブロック図である。複合機１００は、制御部１０と、画像入力部２０と、画像処理部３０と、画像出力部４０と、送受信部５０と、操作パネル６０と、記憶部７０とを備えている。
【００２０】
画像入力部２０は、読み取り用の原稿に光を照射する光源、ＣＣＤ（Charge Coupled Device）のようなイメージセンサ等を有し、該原稿の画像データの光学的読み取りを行な
う。また、画像入力部２０では、所定の読取り位置に載置された原稿からの反射光像を当該イメージセンサに結像させ、ＲＧＢ（R : Red, G : Green, B : Blue）のアナログデータを出力する。
【００２１】
画像処理部３０は、例えば、画像入力部２０から入力されるアナログデータを基にデジタル形式の画像データを生成し、又は記憶部７０に記憶されている画像データを読み出し、夫々の画像の種類に応じた処理を施した後、出力（印刷）すべき画像データを生成する。画像処理部３０によって生成された出力用画像データは、画像出力部４０に出力される。
【００２２】
画像出力部４０は、画像処理部３０から出力される画像データに基づく画像を記録用紙、ＯＨＰフィルム等の記録媒体上に印刷する。画像出力部４０は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して現像化する現像器、感光体ドラム表面に形成されたトナー像を記録媒体上に転写する転写器等を備えており、例えば、電子写真方式にて画像を記録媒体上に出力する。
【００２３】
送受信部５０は、外部に前記原稿のデータを送信するネットワークカード、モデム等を備えている。
【００２４】
また、操作パネル６０は、複合機１００における「ファックス」、「複写」、「印刷」、「メール」等の機能を切り替える機能ボタン、テンキー、スタートキー、キャンセルキー、受け付けた指示を確定するためのエンターキー等を備えている。また、操作パネル６０はタッチパネル部６１、圧力センサ部６２（検出手段）及び表示部６３を有する。
【００２５】
タッチパネル部６１は、タッチパネル（図示せず）を有しており、該タッチパネル（被接触面）は表示部６３の表示画面を覆うように設けられている。例えば、タッチパネル部６１はマルチタッチ抵抗膜方式である。該マルチタッチ抵抗膜方式タッチパネルでは、ベースとなるガラス面上にスペーサ(５〜１０μｍ）をはさみ、その表面にフィルム(厚さ２００μｍ程度のＰＥＴシート)が貼り付けられており、前記ガラス及びフィルムの相互対
向面には、ＩＴＯの透明な電極格子が設けられている。前記抵抗膜方式タッチパネルでは斯かるガラス面、又はフィルム面夫々の透明電極の抵抗による分圧比を測定することで接触された位置を検出するように構成されている
【００２６】
従って、タッチパネル部６１は利用者によるタッチパネルの接触操作により表示部６３の表示画面上における所定位置の指定を受け付けることができる。タッチパネル部６１は接触の位置に対応する表示部６３の表示画面上の座標を検出し、該座標を特定する信号を発生する。また、タッチパネル部６１は、これに限るものでなく、ポインティングデバイス（例えば、スタイラスペン）等を用いる構成であっても良い。
【００２７】
表示部６３は、例えば、ＬＣＤ又はＥＬ（Electroluminescence）パネル等からなり、
画像出力部４０を介して、所定の記録用紙へ出力（印刷）すべき画像が表示される。また、表示部６３は、複合機１００の状態、ジョブ処理の状況、画像入力部２０が読み取った原稿の画像及び操作パネル６０の操作内容の確認等、利用者に対して報知すべき情報を表示する。また、表示部６３の表示画面はタッチパネル部６１によって覆われている。
【００２８】
圧力センサ部６２はタッチパネル部６１及び表示部６３の間に介在されている。圧力センサ部６２はタッチパネル部６１に印加される圧力を検知する。圧力センサ部６２はタッチパネル部６１（タッチパネル）に印加される圧力を、前記タッチパネルの全範囲において検知することができる。圧力センサ部６２はタッチパネルに加わる圧力を検出し、圧力の大きさに応じた圧力値を電気信号として出力する。圧力センサ部６２から出力された斯かる電気信号は制御部１０に送られる。例えば、圧力センサ部６２は公知のピエゾ抵抗方式のセンサを用いる。
【００２９】
記憶部７０は、例えば、フラッシュメモリ、ＥＥＰＲＯＭ（登録商標）、ＨＤＤ、ＭＲＡＭ（磁気抵抗メモリ）、ＦｅＲＡＭ（強誘電体メモリ）、又は、ＯＵＭ等の不揮発性の記憶媒体により構成されている。
【００３０】
また、記憶部７０は圧力値の閾値テーブルを記憶している。該圧力値の閾値テーブルには、複数の圧力値の閾値に、後述するスクロール表示の速度が対応付けられている。
【００３１】
図２は本発明の実施の形態１の複合機１００における、制御部１０の要部構成を示す機能ブロック図である。制御部１０は、ＣＰＵ１１と、ＲＯＭ１２と、ＲＡＭ１３と、表示制御部１４と、方向決定部１５と、速度決定部１６とを有している。
【００３２】
ＲＯＭ１２には各種の制御プログラム、演算用のパラメータのうちの基本的に固定のデータ等が予め格納されており、ＲＡＭ１３はデータを一時的に記憶し、記憶順、記憶位置等に関係なく読み出すことが可能である。また、ＲＡＭ１３は、例えば、ＲＯＭ１２から読み出されたプログラム、該プログラムを実行することにより発生する各種データ、該実行の際適宜変化するパラメータ等を記憶する。
【００３３】
ＣＰＵ１１は、ＲＯＭ１２に予め格納されている制御プログラムをＲＡＭ１３上にロードして実行することによって、上述した各種ハードウェアの制御を行ない、装置全体を本発明の複合機１００として動作させる。また、ＣＰＵ１１は、タッチパネル部６１を介して、利用者から所定処理の指示を受け付ける。
【００３４】
表示制御部１４は表示部６３への画像表示を制御する。例えば、表示部６３に表示されている画像を、方向決定部１５によって決定された方向に、速度決定部１６によって決定された速度にてスクロール表示する。
【００３５】
方向決定部１５は表示部６３に表示される画像のスクロール表示に係る方向を決定する。より詳しくは、タッチパネル部６１がユーザの接触操作によって複数の位置の指定を受け付けた場合、方向決定部１５はこれら複数の位置の指定に係る位置に基づいて前記スクロール表示の方向を決定する。
【００３６】
例えば、ユーザの指先が前記タッチパネルに接触したまま接触の位置が変更する、いわゆるドラッグ操作の場合は、該ドラッグの間、圧力センサ部６２は複数回検出を行う。より詳しくは、斯かるドラッグの間、圧力センサ部６２は定期的又は非定期的間隔の検出タイミングにて検出を行い、方向決定部１５は何れか２つのタイミングに係る位置に基づいて方向を決定する。すなわち、方向決定部１５は何れか２つのタイミングに係る位置を直線に結ぶ方向を前記スクロール表示の方向として決定する。
【００３７】
また、ユーザの指先が所定間隔をおいて複数回タッチパネルと接触した場合は、斯かる複数の接触のうち、何れか２つの接触に係る位置に基づいて方向を決定する。例えば、１回目の接触に係る位置と、２回目以降の何れかの接触に係る位置とを直線に結ぶ方向を前記スクロール表示の方向として決定する。
【００３８】
速度決定部１６は圧力センサ部６２の検知結果に基づいて前記スクロール表示の速度を決定する。すなわち、速度決定部１６は圧力センサ部６２によって検知された圧力値の大小に応じて前記スクロール表示の速度を増減させる。例えば、速度決定部１６は、圧力センサ部６２によって検知された圧力値を前記圧力値の閾値テーブルに照らし合わせて対応する速度を決定する。
【００３９】
以上のような構成を有する本発明の実施の形態１に係る複合機１００においては、ユーザのタッチ操作に応じて、簡単に表示部６３における画像のスクロール表示の方向及び速度を調整することができる。
【００４０】
図３は本発明の実施の形態１の複合機１００における、スクロール表示の方向及び速度を調整する処理を説明するフローチャートである。説明の便宜上、ユーザがいわゆるドラッグ操作を行い、表示部６３に表示されている画像をスクロール表示する場合を例として説明する。また、該ドラッグの間、圧力センサ部６２は定期的な検出タイミングにて検出を行い、方向決定部１５は最初の接触に係る位置及び１回目のタイミングに係る位置に基づいて前記スクロール表示の方向を決定するものとする。なお、ＲＡＭ１３には圧力センサ部６２による圧力の検出が行われるタイミングが記憶されている。
【００４１】
例えば、ユーザが表示部６３の表示画面（タッチパネル）に指先を触れた場合、タッチパネル部６１は、接触された位置を検出し、該位置の座標を特定する信号をＣＰＵ１１に送出する。
【００４２】
ＣＰＵ１１はタッチパネル部６１からの信号に基づいて、前記タッチパネルへの接触（タッチ）があったか判定する（ステップＳ１０１）。ＣＰＵ１１は前記タッチパネルへの接触がなかったと判定した場合（ステップＳ１０１：ＮＯ）、斯かる判定を繰り返して行う。  
【００４３】
また、ＣＰＵ１１は、前記タッチパネルへの接触があったと判定した場合（ステップＳ１０１：ＹＥＳ）、タッチパネル部６１からの信号に基づいて該接触に係る表示部６３の表示画面上の位置（座標）を検出する（ステップＳ１０２）。
【００４４】
この際、ＣＰＵ１１は「Ｎ」に１を代入してＲＡＭ１３に記憶しておく（ステップＳ１０３）。
【００４５】
ＣＰＵ１１は計時部（図示せず）の計時結果及びＲＡＭ１３の検出タイミングに基づいて、圧力センサ部６２による圧力の検出が行われるべきタイミングであるか否かを判定する（ステップＳ１０４）。
【００４６】
ＣＰＵ１１は圧力センサ部６２による圧力の検出が行われるべきタイミングでないと判定した場合（ステップＳ１０４：ＮＯ）、繰り返して斯かる判定を行う。
【００４７】
一方、ＣＰＵ１１は圧力センサ部６２による圧力の検出が行わるべきタイミングであると判定した場合（ステップＳ１０４：ＹＥＳ）、「Ｎ＋１」を新たに「Ｎ」として代入してＲＡＭ１３に記憶する（ステップＳ１０５）。すなわち、「Ｎ」の値として「２」がＲＡＭ１３に記憶される。換言すれば、最初のステップＳ１０１での接触が以降の処理にて１回目の検出タイミングとして扱われる。
【００４８】
次いで、ＣＰＵ１１は、ＲＡＭ１３の記憶内容を参照して、「Ｎ」が「２」であるかを判定する（ステップＳ１０６）。ＣＰＵ１１が「Ｎ」を「２」でないと判定した場合（ステップＳ１０６：ＮＯ）、すなわち、３回目以降の検出のタイミングである場合、処理はステップＳ１０８に進む。
【００４９】
一方、現在２回目の検出のタイミングであるので「Ｎ」は「２」であり、ＣＰＵ１１は「Ｎ」が「２」であると判定する（ステップＳ１０６：ＹＥＳ）。この際、方向決定部１５は１回目及び２回目の検出のタイミングに検出された接触の位置に基づいて、前記画像のスクロール表示に係る方向を決定する（ステップＳ１０７）。すなわち、該ドラッグの間、方向決定部１５は１回目及び２回目の検出のタイミングに係る位置を直線に結ぶ方向を前記スクロール表示の方向として決定する。
【００５０】
次いで、圧力センサ部６２は前記２回目の検出のタイミングに係る接触により前記タッチパネルに印加された圧力値を検出する（ステップＳ１０８）。また、速度決定部１６は、圧力センサ部６２によって検出された圧力値を前記圧力値の閾値テーブルに照らし合わせて対応する速度を、前記画像のスクロール表示の速度として決定する（ステップＳ１０９）。
【００５１】
また、表示制御部１４は、方向決定部１５によって決定された方向に、速度決定部１６によって決定された速度にて、表示部６３に表示されている画像をスクロール表示する（ステップＳ１１０）。
【００５２】
次いで、ＣＰＵ１１は、タッチパネル部６１からの信号に基づいて、前記タッチパネルへの接触が外れたか判定する（ステップＳ１１１）。
【００５３】
ＣＰＵ１１は、前記タッチパネルへの接触が外れていないと判定した場合（ステップＳ１１１：ＮＯ）、すなわち継続してドラッグ操作が行われている場合は、処理をステップＳ１０４に戻す。
【００５４】
以降、ユーザのドラッグ操作が終了するまでステップＳ１０８からステップＳ１１０までの処理が繰り返して行われる。換言すれば、図４に示すように、ユーザのドラッグ操作の間、指先がタッチパネルを押圧する圧力の変化に応じて、逐次表示部６３に表示されている画像をスクロール表示する速度が変更される。
【００５５】
一方、ＣＰＵ１１は、前記タッチパネルへの接触が外れたと判定した場合（ステップＳ１１１：ＹＥＳ）、処理を終了する。
【００５６】
以上のように、本発明の実施の形態１の複合機１００においては、ユーザが指先をタッチパネルに押圧する操作のみで、斯かる画像のスクロール表示における、方向及び速度が定まるので、操作性を高めることができる。また、ユーザは前記押圧（圧力）の加減を適宜調整するのみで、その都度、斯かる画像のスクロール表示の速度を変えることができる。
【００５７】
（実施の形態２）  
図５は本発明の実施の形態２の複合機１００における、スクロール表示の方向及び速度を調整する処理を説明するフローチャートである。説明の便宜上、ユーザがいわゆるドラッグ操作を行い、表示部６３に表示されている画像をスクロール表示する場合を例として説明する。また、該ドラッグの間、圧力センサ部６２は定期的な検出タイミングにて検出を行い、方向決定部１５は最初の接触に係る位置及び１回目のタイミングに係る位置に基づいて前記スクロール表示の方向を決定するものとする。なお、ＲＡＭ１３には圧力センサ部６２による圧力の検出が行われるタイミングが記憶されている。
【００５８】
例えば、ユーザが表示部６３の表示画面（タッチパネル）に指先を触れた場合、タッチパネル部６１は、接触された位置を検出し、該位置の座標を特定する信号をＣＰＵ１１に送出する。
【００５９】
ＣＰＵ１１はタッチパネル部６１からの信号に基づいて、前記タッチパネルへの接触（タッチ）があったか判定する（ステップＳ２０１）。ＣＰＵ１１は前記タッチパネルへの接触がなかったと判定した場合（ステップＳ２０１：ＮＯ）、斯かる判定を繰り返して行う。
【００６０】
また、ＣＰＵ１１は、前記タッチパネルへの接触があったと判定した場合（ステップＳ２０１：ＹＥＳ）、タッチパネル部６１からの信号に基づいて該接触に係る表示部６３の表示画面上の位置（座標）を検出する（ステップＳ２０２）。
【００６１】
この際、圧力センサ部６２は斯かる接触により前記タッチパネルに印加された圧力値を検出してＲＡＭ１３に記憶する（ステップＳ２０３）。
【００６２】
以降、ステップＳ２０４からステップＳ２０９までの処理は図３のステップＳ１０３からステップＳ１０８までの処理と同様であり、詳しい説明を省略する。
【００６３】
ステップＳ２０８にて、圧力センサ部６２が２回目の検出のタイミングに係る接触により前記タッチパネルに印加された圧力値を検出した場合、速度決定部１６は圧力センサ部６２によって検出された圧力値（以下、検出圧力値という。）に対応する前記圧力値の閾値テーブルに係る速度に、加重値を加えて、前記画像のスクロール表示の速度として決定する（ステップＳ２１０）。
【００６４】
すなわち、速度決定部１６は、前記検出圧力値に応じて所定の加重値を定め、前記検出圧力値に対応する前記圧力値の閾値テーブルに係る速度に、定められた加重値を加えることにより、前記画像のスクロール表示の速度として決定する。
【００６５】
以降、ステップＳ２１１及びステップＳ２１２における処理は図３のステップＳ１１０及びステップＳ１１１における処理と同様であり、詳しい説明を省略する。
【００６６】
以上のように、本発明の実施の形態２の複合機１００においては、ユーザによるドラッグ操作の際、最初のタッチ（接触）の際の圧力値に応じて、以降の画像のスクロール表示における速度の決定に加重値を加える。
【００６７】
図６は本発明の実施の形態２の複合機１００において、検出された圧力及び画像のスクロール表示の関係を示すグラフである。図６において、太い実線、点線及び実線にて表示されたドラッグ操作は、初期の圧力値が相違するものの、以降における圧力値は同一である。
【００６８】
すなわち、本発明の実施の形態２の複合機１００においては最初の接触の際の圧力値に応じて、たとえ以降の検出圧力値が同一である場合でも、画像のスクロール表示における速度が異なる。
【００６９】
これによって、本発明の実施の形態２の複合機１００においては、一層速やかにユーザが希望する画像のスクロール表示の速度に達することができる。
【００７０】
（実施の形態３）
以上の記載においては、ユーザがドラッグ操作を行う場合を例として説明したが、本発明に係る複合機１００はこれに限るものでなく、ユーザが所定の間隔にて複数のタッチ（接触）を行った場合も対応できるように構成されている。
【００７１】
図７は本発明の実施の形態３の複合機１００における、スクロール表示の方向及び速度を調整する処理を説明するフローチャートである。説明の便宜上、ユーザが１回目のタッチ操作後、所定の時間間隔を置いて２回目のタッチ操作と共にドラッグ操作を行う場合を例として説明する。また、方向決定部１５は１回目及び２回目のタッチ操作に係る位置に基づいて前記スクロール表示の方向を決定するものとする。
【００７２】
更に、本発明の実施の形態３の複合機１００はユーザによるタッチ（接触）の回数をカウントする計数部（図示せず）を備えている。例えば、ユーザが表示部６３の表示画面（タッチパネル）に指先を触れた場合、タッチパネル部６１は、接触された位置を検出し、該位置の座標を特定する信号をＣＰＵ１１に送出し、前記計数部は接触の回数をカウントする。
【００７３】
ＣＰＵ１１はタッチパネル部６１からの信号に基づいて、前記タッチパネルへの接触（タッチ）があったか判定する（ステップＳ３０１）。ＣＰＵ１１は前記タッチパネルへの接触がなかったと判定した場合（ステップＳ３０１：ＮＯ）、斯かる判定を繰り返して行う。
【００７４】
また、ＣＰＵ１１は、前記タッチパネルへの接触があったと判定した場合（ステップＳ３０１：ＹＥＳ）、前記計数部のカウント結果に基づいて、当該接触が１回目の接触であるか否かを判定する（ステップＳ３０２）。
【００７５】
ＣＰＵ１１は、当該接触が１回目の接触であると判定した場合（ステップＳ３０２：ＹＥＳ）、タッチパネル部６１からの信号に基づいて該接触に係る表示部６３の表示画面上の位置（座標）を検出する（ステップＳ３０９）。以降、処理はステップＳ３０１に戻る。
【００７６】
また、ＣＰＵ１１によって、当該接触が１回目の接触でないと判定された場合（ステップＳ３０２：ＮＯ）、すなわち、本実施例においては２回目の接触である場合、方向決定部１５は１回目及び２回目の接触の位置に基づいて、前記画像のスクロール表示に係る方向を決定する（ステップＳ３０３）。すなわち、方向決定部１５は１回目及び２回目の接触に係る位置を直線に結ぶ方向を前記スクロール表示の方向として決定する。
【００７７】
次いで、圧力センサ部６２は前記１回目の接触により前記タッチパネルに印加された圧力値を検出する（ステップＳ３０４）。また、速度決定部１６は、圧力センサ部６２によって検出された圧力値を前記圧力値の閾値テーブルに照らし合わせて対応する速度を、前記画像のスクロール表示の速度として決定する（ステップＳ３０５）。
【００７８】
この際、表示制御部１４は、方向決定部１５によって決定された方向に、速度決定部１６によって決定された速度にて、表示部６３に表示されている画像をスクロール表示する（ステップＳ３０６）。
【００７９】
上述したように、本実施例において、２回目のタッチ（接触）の際、ユーザはドラック操作を行うので、ＣＰＵ１１は、圧力センサ部６２による圧力の検出を行うべきタイミングであるか否かを判定する（ステップＳ３０７）。一方、ＲＡＭ１３には圧力センサ部６２による圧力の検出が行われるタイミングが記憶されている。
【００８０】
ＣＰＵ１１は、圧力センサ部６２による圧力の検出を行うべきタイミングであると判定した場合（ステップＳ３０７：ＹＥＳ）、処理をステップＳ３０４に戻す。
【００８１】
一方、ＣＰＵ１１は、圧力センサ部６２による圧力の検出を行うべきタイミングでないと判定した場合（ステップＳ３０７：ＮＯ）、タッチパネル部６１からの信号に基づいて、前記タッチパネルへの接触が外れたか判定する（ステップＳ３０８）。
【００８２】
ＣＰＵ１１は、前記タッチパネルへの接触が外れていないと判定した場合（ステップＳ３０８：ＮＯ）、すなわち継続してドラッグ操作が行われている場合は、処理をステップＳ３０７に戻す。
【００８３】
以降、ユーザのドラッグ操作が終了するまでステップＳ３０４からステップＳ３０６までの処理が繰り返して行われる。従って、図８に示すように、ユーザのドラッグ操作の間、指先がタッチパネルを押圧する圧力の変化に応じて、逐次表示部６３に表示されている画像をスクロール表示する速度が変更される。
【００８４】
一方、ＣＰＵ１１は、前記タッチパネルへの接触が外れたと判定した場合（ステップＳ３０８：ＹＥＳ）、処理を終了する。
【００８５】
以上のように、本発明の実施の形態３の複合機１００においては、ユーザが所定の間隔にて複数のタッチ（接触）を行った場合においても対応できる。
【００８６】
（実施の形態４）
本発明の実施の形態４の複合機１００においても、ユーザが所定の間隔にて複数のタッチ（接触）を行った場合に対応できるように構成されている。
【００８７】
図９は本発明の実施の形態４の複合機１００における、スクロール表示の方向及び速度を調整する処理を説明するフローチャートである。説明の便宜上、ユーザが所定の時間間隔を置いて複数回のタッチ操作を行う場合を例として説明する。また、方向決定部１５は１回目及び２回目のタッチ操作に係る位置に基づいて前記スクロール表示の方向を決定するものとする。更に、本発明の実施の形態４の複合機１００は前記計数部（図示せず）と、接触開始からの時間経過を測る計時部（図示せず）とを備えている。
を備えている。
【００８８】
例えば、ユーザが表示部６３の表示画面（タッチパネル）に指先を触れた場合、タッチパネル部６１は、接触された位置を検出し、該位置の座標を特定する信号をＣＰＵ１１に送出する。また、前記計数部は接触の回数をカウントし、前記計時部は計時を開始する。
【００８９】
ＣＰＵ１１はタッチパネル部６１からの信号に基づいて、前記タッチパネルへの接触（タッチ）があったか判定する（ステップＳ４０１）。ＣＰＵ１１は前記タッチパネルへの接触がなかったと判定した場合（ステップＳ４０１：ＮＯ）、斯かる判定を繰り返して行う。
【００９０】
また、ＣＰＵ１１は、前記タッチパネルへの接触があったと判定した場合（ステップＳ４０１：ＹＥＳ）、前記計時部の計時結果に基づいて、該接触に係る操作が所定時間以上続けているか否かを判定する。すなわち、ＣＰＵ１１は該接触に係る操作が長押しであるか否かを判定する（ステップＳ４０２）。
【００９１】
ＣＰＵ１１は該接触に係る操作が長押しであると判定した場合（ステップＳ４０２：ＹＥＳ）、処理を終了する。
【００９２】
一方、ＣＰＵ１１は該接触に係る操作が長押しでないと判定した場合（ステップＳ４０２：ＮＯ）、前記計数部のカウント結果に基づいて、当該接触が１回目の接触であるか否かを判定する（ステップＳ４０３）。
【００９３】
ＣＰＵ１１は、当該接触が１回目の接触であると判定した場合（ステップＳ４０３：ＹＥＳ）、タッチパネル部６１からの信号に基づいて該接触に係る表示部６３の表示画面上の位置（座標）を検出する（ステップＳ４１０）。
【００９４】
この際、圧力センサ部６２は斯かる接触により前記タッチパネルに印加された圧力値を検出してＲＡＭ１３に記憶する（ステップＳ４１１）。以降、処理はステップＳ４０１に戻る。
【００９５】
一方、ＣＰＵ１１は、当該接触が１回目の接触でないと判定した場合（ステップＳ４０３：ＮＯ）、前記計数部のカウント結果に基づいて、３回目以上の接触であるか否かを再び判定する（ステップＳ４０４）。
【００９６】
ＣＰＵ１１は当該接触が３回目以上の接触であると判定した場合（ステップＳ４０４：ＹＥＳ）、処理をステップＳ４０６に移す。
【００９７】
また、ＣＰＵ１１は、当該接触が３回目以上の接触でないと判定した場合（ステップＳ４０４：ＮＯ）、すなわち、２回目の接触である場合、方向決定部１５は１回目及び２回目の接触の位置に基づいて、前記画像のスクロール表示に係る方向を決定する（ステップＳ４０５）。
【００９８】
次いで、圧力センサ部６２は２回目又は３回目以上の接触により前記タッチパネルに印加された圧力値を検出する（ステップＳ４０６）。また、速度決定部１６は圧力センサ部６２によって検出された検出圧力値に対応する前記圧力値の閾値テーブルに係る速度に、加重値を加えて、前記画像のスクロール表示の速度として決定する（ステップＳ４０７）。
【００９９】
すなわち、速度決定部１６は、１回目の接触に係る検出圧力値に応じて所定の加重値を定め、前記検出圧力値に対応する前記圧力値の閾値テーブルに係る速度に、定められた加重値を加えることにより、前記画像のスクロール表示の速度を決定する。
【０１００】
この際、表示制御部１４は、方向決定部１５によって決定された方向に、速度決定部１６によって決定された速度にて、表示部６３に表示されている画像をスクロール表示する（ステップＳ４０８）。
【０１０１】
次いで、ＣＰＵ１１は、タッチパネル部６１からの信号に基づいて、前記タッチパネルへの接触が外れたか判定する（ステップＳ４０９）。
【０１０２】
ＣＰＵ１１は、前記タッチパネルへの接触が外れていないと判定した場合（ステップＳ４０９：ＮＯ）、処理をステップＳ４０８に戻す。
【０１０３】
一方、ＣＰＵ１１は、前記タッチパネルへの接触が外れたと判定した場合（ステップＳ４０９：ＹＥＳ）、処理をステップＳ４０１に戻す。
【０１０４】
以上のように、本発明の実施の形態４の複合機１００においては、ユーザが所定の間隔にて複数のタッチ（接触）を行った場合に、斯かる接触の都度、指先が前記タッチパネルを押圧する圧力の変化に応じて、図１０に示すように、逐次表示部６３に表示されている画像をスクロール表示する速度を変更させる。
【０１０５】
また、本発明の実施の形態４の複合機１００においては、最初のタッチ（接触）の際の圧力値に応じて、以降の画像のスクロール表示における速度の決定に加重値を加える。従って、図１０に示すように、最初の接触の際の圧力値に応じて、たとえ以降のタッチ操作に係る検出圧力値が同一である場合でも、画像のスクロール表示における速度が異なる。
【０１０６】
これによって、本発明の実施の形態４の複合機１００においては、一層速やかにユーザが希望する画像のスクロール表示の速度に達することができる。
【０１０７】
（実施の形態５）
本発明の実施の形態５の複合機１００は、実施の形態１〜４に係る複合機１００と同様な構成を有しているが、記憶部７０の構成において相違する。
【０１０８】
本発明の実施の形態５の複合機１００において、記憶部７０の前記圧力値の閾値テーブルは複数の圧力値の範囲を定める閾値を記憶している。すなわち、複数の閾値が所定の間隔を有して圧力値の範囲を形成しており、圧力値範囲ごとに、画像のスクロール表示の速度が対応付けて記憶されている。
【０１０９】
従って、本発明の実施の形態５の複合機１００において、速度決定部１６は、圧力センサ部６２によって検知された圧力値を前記圧力値の閾値テーブルと照らし合わせて、検知された圧力値が含まれる圧力値範囲に対応付けられている速度を、画像のスクロール表示の速度として決定する。
【０１１０】
これによって、本発明の実施の形態５の複合機１００においては、安定してスクロール表示の速度の調整ができる。
【０１１１】
すなわち、ユーザが指先にて前記タッチパネルを押圧する際、実際上、該タッチパネルが受ける圧力は一定でなく、微妙に変化する。従って、このような微妙な変化に応じて逐次スクロール表示の速度が変化するように構成した場合は、安定した速度でのスクロール表示が困難となる。
【０１１２】
しかし、本発明の実施の形態５の複合機１００では、前記圧力値の閾値テーブルにおいて、圧力値範囲ごとに速度が対応付けられている。従って、圧力センサ部６２によって検知された圧力値の微妙な変化が、斯かる圧力値範囲を超えない限り、同じスクロール表示の速度を維持することができる。
【０１１３】
なお、上述した方向決定部１５及び速度決定部１６は、ハードウェアロジックによって構成してもよいし、ＣＰＵ１１が所定のプログラムを実行することにより、ソフトウェア的に構築されてもよい。
【０１１４】
また、以上においては、タッチパネル装置として複合機１００を例として説明したが、本発明はこれに限るものではない。例えば、スマートフォン、タブレット型コンピュータ、電子書籍、ＰＤＡ(Personal Digital Assistant)のようなユーザインタフェース装置、カメラ、テレビジョンなどに適用できることは言うまでもない。
【０１１５】
更に、以上においては、ユーザが指先にてタッチ操作を行う場合を例として説明したが、本発明はこれに限るものでなく、例えば、スタイラス等でタッチ操作を行うように構成しても良い。
【０１１６】
更に、以上においては、画像のスクロール表示を例として説明したが、本発明はこれに限るものでなく、画像の移動表示であれば適用可能であることは言うまでもない。該画像の移動表示としては、前記スクロール表示の以外にも、アイコンの移動、画面内に収まらない画像を移動させる場合などが含まれる。
【０１１７】
本発明の実施態様１においては、被接触面を備え、該被接触面との接触により位置の指定を受け付けるタッチパネル装置１００において、接触の際前記被接触面に与えられる圧力値を検出する検出手段６２と、複数の位置の指定に係る位置に基づいて方向を決定する方向決定手段１５と、前記検出手段６２の検出結果に基づいて速度を決定する速度決定手段１６と、決定された方向及び速度に基づいて、画像を移動表示する表示部６３とを備えることを特徴とする。
【０１１８】
本発明によれば、前記方向決定手段が複数の位置の指定に係る位置に基づいて方向を決定し、前記検出手段による圧力値の検出結果に基づいて前記速度決定手段が速度を決定し、決定された方向及び速度に基づいて、前記表示部が画像を移動表示する。
【０１１９】
本発明の実施態様２においては、接触のまま接触の位置が変更する場合、該変更の間、前記検出手段６２は複数回検出を行い、前記方向決定手段１５は何れか２回の検出に係る位置に基づいて方向を決定し、前記速度決定手段１６は前記検出手段６２の検出結果に基づいて逐次速度を変更するように構成されていることを特徴とする。
【０１２０】
本発明によれば、接触のまま接触の位置が移動する、例えばドラッグ操作の場合、該ドラッグの間、前記検出手段は複数回検出を行い、前記方向決定手段は例えば１回目及び２回目のタイミングに係る位置に基づいて方向を決定し、前記速度決定手段は前記検出手段の検出結果に基づいて逐次速度を変更する。
【０１２１】
本発明の実施態様３においては、接触のまま接触の位置が変更する場合、該変更の間、前記検出手段６２は複数回検出を行い、前記方向決定手段１５は何れか２回の検出に係る位置に基づいて方向を決定し、最初回の前記検出手段６２による検出結果に基づいて、前記速度決定手段１６は、前記移動の間に係る画像の移動速度を決定するように構成されていることを特徴とする。
【０１２２】
本発明によれば、接触のまま接触の位置が移動する、例えばドラッグ操作の場合、該ドラッグの間、前記検出手段は複数回検出を行い、前記方向決定手段は例えば１回目及び２回目のタイミングに係る位置に基づいて方向を決定し、最初回の前記検出手段による検出結果に基づいて、前記速度決定手段は、前記ドラッグの間に係る画像の移動速度を決定する。
【０１２３】
本発明の実施態様４においては、所定の間隔にて複数の接触があった場合、前記方向決定手段１５は該複数の接触のうち、何れか２つの接触に基づいて方向を決定し、前記速度決定手段１６は１回目の接触に対する前記検出手段６２の検出結果に基づいて前記速度を決定するように構成されていることを特徴とする。
【０１２４】
本発明によれば、ユーザが所定の間隔にて複数のタッチ操作を行った場合、前記方向決定手段は該複数のタッチ操作のうち、例えば、１回目及び２回目のタッチ操作に係る位置に基づいて方向を決定し、前記速度決定手段は１回目のタッチ操作に対する前記検出手段の検出結果に基づいて前記速度を決定する。
【０１２５】
本発明の実施態様５においては、所定の間隔にて複数の接触があった場合、前記方向決定手段１５は該複数の接触のうち、何れか２つの接触に基づいて方向を決定し、前記速度決定手段１６は２回目以降の何れかの接触に対する前記検出手段６２の検出結果に基づいて前記速度を決定するように構成されていることを特徴とする。
【０１２６】
本発明によれば、ユーザが所定の間隔にて複数のタッチ操作を行った場合、前記方向決定手段は該複数のタッチ操作のうち、例えば、１回目及び２回目のタッチ操作に係る位置に基づいて方向を決定し、前記速度決定手段は、例えば、２回目のタッチ操作に対する前記検出手段の検出結果に基づいて前記速度を決定する。
【０１２７】
本発明の実施態様６においては、複数の圧力値の範囲を定める閾値を記憶している記憶部７０を備え、前記速度決定手段１６は前記圧力値の範囲に基づいて速度を決定するように構成されていることを特徴とする。
【０１２８】
本発明によれば、前記記憶部には複数の圧力値の範囲を定める閾値を記憶している。すなわち、該記憶部には複数の圧力値の範囲が定められており、各圧力値の範囲毎に画像の移動表示に係る速度が対応付けられている。
【０１２９】
本発明の実施態様７においては、被接触面と、該被接触面への接触の際該被接触面に与えられる圧力値を検出する検出部６２とを備え、該被接触面との接触により位置の指定を受け付けるタッチパネル装置１００にて、画像を表示する画像表示方法において、複数の位置の指定に係る位置に基づいて方向を決定する方向決定ステップと、前記検出部による検出結果に基づいて速度を決定する速度決定ステップと、決定された方向及び速度に基づいて、画像を移動表示するステップとを含むことを特徴とする。
【０１３０】
本発明によれば、複数の位置の指定に係る位置に基づいて方向が決定され、かつ前記検出部による圧力値の検出結果に基づいて速度が決定され、決定された方向及び速度に基づいて、画像の移動表示が行われる。
【符号の説明】
【０１３１】
１０  制御部  
１１  ＣＰＵ
１５  方向決定部
１６  速度決定部
６１  タッチパネル部
６２  圧力センサ部
６３  表示部
７０  記憶部
１００  複合機
【図１】
2019008840.tif 000003
【図２】
2019008840.tif 000004
【図３】
2019008840.tif 000005
【図４】
2019008840.tif 000006
【図５】
2019008840.tif 000007
【図６】
2019008840.tif 000008
【図７】
2019008840.tif 000009
【図８】
2019008840.tif 000010
【図９】
2019008840.tif 000011
【図１０】
2019008840.tif 000012